(57)【要約】【課題】地面へのソールの自由かつ規則的な足運び、均整な地面に対する十分な把持、不均整な地面に対する十分な把持又は引っ掛かり性能を有する靴を提供する。【解決手段】接触面（２０）は、第１の輪郭部（２１）を有し、第１の輪郭部（２１）が、凸部（３１〜３６）と凹部（４１〜４５）との交互配置を有する。接触面（２０）は、第２の輪郭部（２２）を有し、第２の輪郭部（２２）が、凸部（５１〜５７）と凹部（６１〜６６）との交互配置を有する。第１の輪郭部（２１）の凸部（３１〜３６）及び凹部（４１〜４５）が、第２の輪郭部（２２）の凸部（５１〜５７）及び凹部（６１〜６６）に対して互い違いに配置される。【選択図】図１
2012020136.tif 000002
【特許請求の範囲】
【請求項１】
アウトソール（２）と、アッパー（９）とを含み、前記アウトソール（２）が、後端部（３）から前端部（４）までの長手方向及び外側縁（５）と内側縁（６）との間の幅方向にわたって延在しており、前記アウトソール（２）が、地面との接触面（２０）を有する靴（１）において、前記接触面（２０）が、第１の輪郭部（２１）を有し、前記第１の輪郭部（２１）は、凸部（３１〜３６）と凹部（４１〜４５）とが交互に配置されており、
前記接触面（２０）が、第２の輪郭部（２２）を有し、前記第２の輪郭部（２２）は、凸部（５１〜５７）と凹部（６１〜６６）とが交互に配置されており、前記第１の輪郭部（２１）の前記凸部（３１〜３６）及び凹部（４１〜４５）が、前記第２の輪郭部（２２）の前記凸部（５１〜５７）及び凹部（６１〜６６）に対して互い違いに配置されることを特徴とする靴。
【請求項２】
前記第１の輪郭部（２１）は、凸部（３２）及び凹部（４１）を有する基準セグメント（４７）を含み、前記第２の輪郭部（２２）が、凸部（５２）及び凹部（６２）を有する基準セグメント（６７）を含み、前記第１の輪郭部（２１）の前記基準セグメント（４７）の前記凸部（３２）が、前記第２の輪郭部（２２）の前記基準セグメント（６７）の前記凹部（６２）の横に位置し、前記第１の輪郭部（２１）の前記基準セグメント（４７）の前記凹部（４１）が、前記第２の輪郭部（２２）の前記基準セグメント（６７）の前記凸部（３２）の横に位置していることを特徴とする請求項１に記載の靴（１）。
【請求項３】
前記接触面（２０）が、第３の輪郭部（２３）を有し、前記第３の輪郭部（２３）が、凸部（７２）及び凹部（８１）を有する基準セグメント（８７）を含み、前記第２の輪郭部（２２）の前記基準セグメント（６７）の前記凸部が、前記第３の輪郭部（２３）の前記基準セグメント（８７）の前記凹部（８１）の横に位置しており、前記第２の輪郭部（２２）の前記基準セグメント（６７）の前記凹部（６２）が、前記第３の輪郭部（２３）の前記基準セグメント（８７）の前記凸部（７２）の横に位置していることを特徴とする請求項２に記載の靴（１）。
【請求項４】
前記第１の輪郭部（２１）、前記第２の輪郭部（２２）及び前記第３の輪郭部（２３）が、前記靴の長手方向に沿って配向されることを特徴とする請求項２又は３に記載の靴（１）。
【請求項５】
前記第１の輪郭部（２１）が靴の外側に位置し、前記第２の輪郭部（２２）が靴の中央に位置し、前記第３の輪郭部（２３）が靴の内側に位置することを特徴とする請求項３又は４に記載の靴（１）。
【請求項６】
前記第１の輪郭部（２１）が複数のセグメント（４７）を含み、前記第２の輪郭部（２２）が複数のセグメント（６７）を含み、前記第３の輪郭部（２３）が複数のセグメント（８７）を含むことを特徴とする請求項１乃至５のいずれか１項に記載の靴（１）。
【請求項７】
前記第１の輪郭部（２１）が５つの凹部（４１〜４５）を有し、前記第２の輪郭部（２２）が６つの凹部（６１〜６６）を有し、前記第３の輪郭部（２３）が５つの凹部（８１〜８５）を有することを特徴とする請求項３乃至６のいずれか１項に記載の靴（１）。
【請求項８】
前記第１の輪郭部（２１）の前記凹部（４１〜４５）が、それぞれ前記第３の輪郭部（２３）の前記凹部（８１〜８５）と横方向に整列することを特徴とする請求項３乃至７のいずれか１項に記載の靴（１）。
【請求項９】
前記第１の輪郭部（２１）の幅が、前記アウトソール（２）の幅の５〜３０％であり、前記第２の輪郭部（２２）の幅が、前記アウトソール（２）の幅の２０〜８０％であり、かつ前記第３の輪郭部（２３）の幅が、前記アウトソール（２）の幅の５〜３０％であることを特徴とする請求項３乃至８のいずれか１項に記載の靴（１）。
【請求項１０】
前記第１の輪郭部（２１）、前記第２の輪郭部（２２）及び前記第３の輪郭部（２３）の各々の長さが、前記アウトソール（２）の長さの５０〜１００％であることを特徴とする請求項３乃至９のいずれか１項に記載の靴（１）。
【請求項１１】
前記接触面（２０）が、第４の輪郭部（２４）を有し、前記第４の輪郭部（２４）は、凸部（１２１〜１２４）と凹部（１３１〜１３３）とが交互に配置されており、前記接触面（２０）が、第５の輪郭部（２５）を有し、前記第５の輪郭部（２５）は、凸部（１４１〜１４５）と凹部（１５１〜１５４）とが交互に配置されており、所与の輪郭部の凸部及び凹部が、隣接する輪郭部の凸部及び凹部に対して互い違いに配置されることを特徴とする請求項３又は４に記載の靴（１）。
【請求項１２】
前記第１の輪郭部（２１）、前記第２の輪郭部（２２）、前記第３の輪郭部（２３）、前記第４の輪郭部（２４）及び前記第５の輪郭部（２５）が、靴の長手方向に沿って配向されることを特徴とする請求項１１に記載の靴（１）。
【請求項１３】
前記第１の輪郭部（２１）が靴の外側に位置し、前記第２の輪郭部（２２）、前記第３の輪郭部（２３）、及び前記第４の輪郭部（２４）が靴の中央に位置し、前記第５の輪郭部（２５）が靴の内側に位置していることを特徴とする請求項１２に記載の靴（１）。
【請求項１４】
前記第１の輪郭部（２１）が４つの凹部（１６１〜１６４）を有し、前記第２の輪郭部（２２）が３つの凹部（１７１〜１７３）を有し、前記第３の輪郭部（２３）が４つの凹部（１８１〜１８４）を有し、前記第４の輪郭部（２４）が３つの凹部（１３１〜１３３）を有し、前記第５の輪郭部（２５）が４つの凹部（１５１〜１５４）を有することを特徴とする請求項１１乃至１３のいずれか１項に記載の靴（１）。
【請求項１５】
前記外側の輪郭部（２１）及び前記内側の輪郭部（２３、２５）が、前記後端部（３）の領域において及び／又は前記前端部（４）の領域において、ともに伸張されていることを特徴とする請求項５乃至１４のいずれか１項に記載の靴（１）。
【請求項１６】
前記凸部は、ほぼ平坦な表面を有することを特徴とする請求項１乃至１５のいずれか１項に記載の靴（１）。
【請求項１７】
前記凸部は、複数の凹凸を有することを特徴とする請求項１乃至１５のいずれか１項に記載の靴（１）。
【請求項１８】
前記凹部は、ほぼ平坦な表面を有することを特徴とする請求項１乃至１７のいずれか１項に記載の靴（１）。
【請求項１９】
１つ又は複数の凹部（６２又は６６）が、区分されていることを特徴とする請求項１乃至１８のいずれか１項に記載の靴（１）。
【請求項２０】
前記接触面（２０）の横方向における分割されたセグメントに沿う、前記凸部（３２、５２、５３、７２）の頂部が、ほぼ同一平面内にあることを特徴とする請求項４乃至１９のいずれか１項に記載の靴（１）。
【請求項２１】
前記凸部のそれぞれの前記頂部が、前記接触面の足運び時に地面の均整な表面に接するようにされていることを特徴とする請求項４乃至２０のいずれか１項に記載の靴（１）。
【請求項２２】
前記アウトソール（２）が、厚さ（ｔ）０．５〜５ｍｍの磨滅層（９５）を含むことを特徴とする請求項１乃至２１のいずれか１項に記載の靴（１）。
【請求項２３】
前記アウトソール（２）は、厚さ（ｔ）がほぼ一定である磨滅層（９５）を含むことを特徴とする請求項１乃至２２のいずれか１項に記載の靴（１）。
【請求項２４】
前記凹部が、曲面形状を有することを特徴とする請求項１乃至２３のいずれか１項に記載の靴（１）。
【発明の詳細な説明】
【技術分野】
【０００１】
本発明は、靴に関し、特にスポーツをするための靴に関する。
【０００２】
かかる靴は、スポーツ若しくはその他の歩行、又は平地若しくは山岳でのランニング、登山、あるいはスケートボード、球技などのような分野で使用され得る。
【背景技術】
【０００３】
靴には、丈の長いものもあれば、丈の短いものもある。また靴には、比較的軟質のものや、逆に、より剛性のあるものもある。しかしながら、その全体的外観又は行われる活動がいかなるものであれ、靴は、利用者の期待に応えなければならない。特に、第一に靴は、足を容易に繰り出せるものでなければならない。これは、例えば平坦な地面で、足運び又は送りが自由かつ規則的でなければならないことを意味する。歩行又はランニングの際に足を繰り出す動きの度に利用者のエネルギー消費を最小限に抑えることが問題である。第二に、靴は十分に地面を把持するものでなければならない。これは、靴が、地面と足との間で、支承、衝撃、又は感覚情報の伝達を利用者が制御できるものでなければならないという意味であり、不適切なときに滑ってはならないことを意味する。
【０００４】
容易な足運び及び十分な把持を得るために、従来技術では、当然ながら多数の解決策が提案されてきた。
【０００５】
アウトソールの地面との接触面に小さな突起のついた靴を製造することが、特に知られている。突起間の空間がアウトソールの自由な屈曲を可能にするので、この構造は、十分な足運びの自由を与える。その上、突起の規則的な分布により、一方では規則的な足運びが、他方では平坦な地面に対する十分な把持が可能になる。かかる靴は、例えば競技場内での歩行又は徒競走に特に適している。しかしながら、このような靴は、多くの状況で、自由かつ規則的な足運びを、十分な把持と同時に提供するとしても、全ての場合に提供するわけではない。実際に、ある種の状況において把持は不十分である。山岳、更には野山や森林で遭遇するような、岩などのような障害物のある、起伏に富んだ地面では特にそうである。実際に、これらの状況において、ソールと地面との間の接触面は、十分な把持を可能にするためには弱すぎる。
【０００６】
特殊な状況に適合する他の靴が存在する。
【０００７】
例えば、米国特許第４１３０９４７号によれば、アウトソールの接触面は、一連の横方向溝を有する。これらの溝は、数ミリメートルというかなり大きな深さを有する。このソールは、脆い地面又は雪上での引っ掛かりを増進する。溝は、横方向の剛性を増加させ、かつ長手方向の可撓性を容易にするために設けられる。しかしながら、この靴は、足の完全に自由かつ規則的な足運びを可能にしない。実際に、横軸に沿ったアウトソールの長手方向の屈曲の可能性は、場所によって異なる。可撓性は、溝底では大きいが、２つの溝間では減少する。これは、溝によってソール厚に変動が生じるためである。その結果、アウトソールのレベルで横方向に硬いゾーンと軟らかいゾーンとが交互にできる。この交互のゾーンが、ソールの、したがって足の運びを妨害し、足の運びを不規則にする。その上、溝と溝との間の厚いゾーンが曲がるのにより大きな力を要する。この意味で、歩行又はランニングに伴うエネルギー収率は、より低くなる。溝底の薄いゾーンが疲労して破損する危険にも注目しなければならない。
【０００８】
既知のいかなる靴も、単独で地面へのソールの自由かつ規則的な足運び、均整な地面に対する十分な把持、及び不均整な地面に対する把持又は引っ掛かりの能力を併せもっていないように見える。換言すると、従来技術の靴は、十分に万能でないか、又は必然の結果として過度に専門化されている。
【先行技術文献】
【特許文献】
【０００９】
【特許文献１】米国特許第４１３０９４７号
【発明の概要】
【００１０】
これに関連して、本発明は、従来技術による靴を改善することを、包括的な目的とする。特に、本発明の目的は、地面へのソールの自由かつ規則的な足運び、均整な地面に対する十分な把持、及び不均整な地面に対する十分な把持又は引っ掛かりの能力を単一の靴に併せもたせることである。これは、本発明が、靴を更に万能に、あらゆる状況において更に有効にしようとするものであることを意味している。
【００１１】
本発明のもう一つの目的が、この万能性を幅広く適用すること、すなわち乾燥した土地のような予想可能な土地と同様に、濡れた、湿った、又は泥にまみれた土地に対しても万能性を得ることであることが、後ほどよく判るであろう。
【００１２】
本発明の更なる目的は、アウトソールの領域に、幾らかの緩衝能力をもたらすことである。本発明は、行われる活動に応じて、地面に対する接触の全体又は少なくとも相当な部分の間、ソールの挙動を最適化しようとするものである。
【００１３】
本発明のもう一つの目的は、歩行又はランニングに伴う感覚情報又は衝撃の伝達における精度を改善することである。
【００１４】
本発明の更なる目的は、アウトソールの質量をできるだけ減少させることである。
【００１５】
このために、本発明は、アウトソールとアッパーとを含み、アウトソールが、後端部から前端部までの長手方向及び外側（lateral）縁と内側（medial）縁との間の幅方向にわたって延在し、アウトソールが、地面との接触面を有する靴を提案する。
【００１６】
本発明による靴は、接触面が、第１の輪郭部を有し、第１の輪郭部上に凸部と凹部が交互に配列し、接触面が、第２の輪郭部を有し、第２の輪郭部上に凸部と凹部が交互に並び、第１の輪郭部の凸部及び凹部が、第２の輪郭部の凸部及び凹部に対して互い違いに配置されることを特徴とする。
【００１７】
第１の輪郭部が、１つの凸部と１つの凹部を有する基準セグメントを含み、第２の輪郭部が、１つの凸部と１つの凹部を有する基準セグメントを含み、第１の輪郭部の基準セグメントの凸部が、第２の輪郭部の基準セグメントの凹部の横に位置し、かつ第１の輪郭部の基準セグメントの凹部が、第２の輪郭部の基準セグメントの凸部の横に位置していると言うこともできる。
【００１８】
この構造においては、輪郭部の長手方向において凸部と凹部が交互に並び、輪郭部の長手方向と垂直な横方向において凸部と凹部が交互に並ぶように構成される。輪郭部は、接触面を区分する分割領域又はセグメントに対応し、その輪郭部は直線形態であっても、湾曲状の曲線的形態でよく、かつ靴の長手方向又は他の方向に沿って配向させ得ることが、後ほどよく判るであろう。当然ながら、先に言及した交互配置は、本発明による凸部と凹部を有する接触面の分割されたセグメントにおいて行われる。接触面が、複数の分割セグメントを含んでもよく、また完全にそのように構成されてもよいことが、後ほどよく判るであろう。
【００１９】
アウトソールの足運び方向がどうであれ、分割セグメントにおいて、凸部は、均整な地面に交互に接触する。これは、アウトソールが輪郭部の方向に繰り出されるならば、後で第２の輪郭部の凸部が地面と接触しようと、あるいは後で第１の輪郭部の他の凸部が地面と接触しようと、第１の輪郭部の凸部が地面と接触し、以下同様であることを意味する。当然ながら、この現象は、あらゆる足運び方向に関して生じる。その結果、アウトソールの運びは、したがって足の運びも、規則的かつ自由である。同様に、一方の凸部から他方の凸部への移行が、支承の面で規則的なので、この地面に対する把持は、満足できるものであるように思われる。第１が、第２に対して繰り出されるとき、地面に対するソールの接触の連続性が観察されるとも言えるであろう。
【００２０】
山岳において多少とも岩で覆われたような不均整な地面の場合、地面の凹凸が靴の凹部と協働する。実際に、これらの凹凸は、靴の凹部内に多少とも嵌り込む。靴の凹部が、凸部間に画定される開口部の面積に比べて大きな接触面積を与えるので、靴の凹部の領域で把持の増大が観察される。その上、靴の凹部は、地面の凹凸とアウトソールとの間の障害物を介した連結を生み出す。その結果、不均整な地面に対する把持及び／又は引っ掛かりが、従来技術による靴で得られるそれに比べて、改善される。泥だらけの地面についても、靴の凹部が大きなかすがいの役目を果たし、そこから泥が非常に容易に排出されるので、同様に従来技術に対し改善される。
【００２１】
最後に、本発明による靴において、アウトソールは、均整な地面に対して規則的かつ自由に繰り出され、この地面を十分に把持し、かつ不均整な地面に対してももちろん可逆的に把持し又は引っ掛かる。それは結局、本発明による靴が、万能であり、地面が均整であれ不均整であれ、地面を把持するということである。
【００２２】
本発明による靴は、従来技術の靴に比べて引っ掛かりの著しい改善を可能にする。
【００２３】
本発明の他の特徴及び利点は、本発明がいかにして実施できるかを、非限定的な実施形態に従って示す添付図面を参照し、以下に続く説明を用いてよりよく理解されるであろう。
【図面の簡単な説明】
【００２４】
【図１】本発明の第１の実施形態による靴の下からの前方斜視図である。
【図２】図１による靴の側面図である。
【図３】図１による靴の底面図である。
【図４】図３のＩＶ−ＩＶに沿った断面図である。
【図５】図３のＶ−Ｖに沿った断面図である。
【図６】図５のＶＩ−ＶＩに沿った断面図である。
【図７】図５のＶＩＩ−ＶＩＩに沿った断面図である。
【図８】本発明の第２の実施形態に関する図４と同様の断面図である。
【図９】本発明の第２の実施形態に関する図５と同様の断面図である。
【図１０】本発明の第３の実施形態に関する図１と同様の図である。
【図１１】本発明の第４の実施形態による靴の下からの前方斜視図である。
【図１２】図１１による靴の底面図である。
【発明を実施するための形態】
【００２５】
以下で説明する第１の実施形態は、とりわけ、平地又は起伏のある土地での歩行又はランニングのための靴に関する。しかしながら、本発明は、前述のような他の分野にも適用される。
【００２６】
この第１の形態について、図１〜７を用いて以下に説明する。
【００２７】
図１〜３に示すように、歩行靴は、利用者の足を収容するように提供される。
【００２８】
公知のように、一般的に、靴１は、長手方向Ｌに沿って後端部３と前端部４との間に延在し、かつ長手方向と垂直な横方向Ｗに沿って外縁５と内縁６との間に延在する、アウトソール２を備えている。ソール２は、後部又は踵部７と、前部８とを備える。ソールの第１の実施形態によれば、ソール２は、踵部７及び前部８が互いに延びる方向で一体である。しかしながら、これらの部分７、８は、互いに分離され離隔されていてもよい。
【００２９】
また、靴１は、ソール上に配置されたアッパー９を含む。図示したように、アッパー９は、上部を除き、足を取り囲むように設けられた下部１０を含む。しかしながら、アッパーが上部も含むようにすることもできる。
【００３０】
アッパー９は、特に外側クォーター１２と、内側クォーター１３と、舌革１４とを含む。舌革１４は、アッパー９にその連続性を与えるために、クォーター１２、１３を互いに連結する。しかしながら、舌革を使用しないようにすることもできる。この場合、クォーター１２、１３は、分離したままでも、重ね合わせてもよい。
【００３１】
本明細書では詳述しないが、締め付け装置は、アッパー９を可逆的に締め付けるために設けられる。しかしながら、靴１は、締め付け装置を持たなくてもよい。
【００３２】
アッパーの構造がいかなるものであれ、アウトソール２は、地面との接触面２０を有する。接触面２０は、全部で２つ以上の輪郭部２１、２２、２３、２４、２５を有するように構成されている。輪郭部は、その長さが幅よりもが大きい、接触面２０の分割されたセグメント(区分)である。輪郭部は、細長い分割セグメントであるが、後ほど判るように、様々な形状又は様々な湾曲形態を有し得ると言うことができる。特に、輪郭部は、長方形のように直線で構成されてもよく、また例えば、大文字のＣ若しくはＳのような形状に従う湾曲形状でもよい。
【００３３】
限定するものではないが、接触面２０は、少なくとも１つの第１の輪郭部２１と、第２の輪郭部２２とを有する。接触面２０が、第３の輪郭部２３、第４の輪郭部２４、第５の輪郭部２５、更にはそれ以上の輪郭部を有し得ることが後ほど判るであろう。
【００３４】
第１の輪郭部２１は、例えば、前端部４と後端部３との間で交互に続く、凸部（凸領域）３１、３２、３３、３４、３５、３６及び凹部(凹領域)４１、４２、４３、４４、４５の交互配置を含む。あらゆる場合に、第１の輪郭部２１は、凸部３２と凹部４１とを有する基準セグメント４７を含む。当然ながら、基準セグメント４７の凸部３２及び凹部４１は、一方が輪郭部２１に沿って他方に続くという意味で、互いに隣接する。このセグメント４７は、図面上でよく見えるので、説明を容易にするために選択されている。
【００３５】
同じ趣旨で、第２の輪郭部２２は、例えば、前端部４と後端部３との間で交互に続く、凸部５１、５２、５３、５４、５５、５６、５７及び凹部６１、６２、６３、６４、６５、６６の交互配置を含む。あらゆる場合に、第２の輪郭部２２は、凸部５２と凹部６２とを有する基準セグメント６７を含む。ここでも当然ながら、基準セグメント６７の凸部５２及び凹部６２は、一方が輪郭部２２に沿って他方に続くという意味で、互いに隣接している。このセグメントも、図面上でよく見えるので、説明を容易にするために選択された。
【００３６】
本発明によれば、第２の輪郭部２２は、第１の輪郭部２１に隣接し、第１の輪郭部２１の基準セグメント４７の凸部３２は、第２の輪郭部２２の基準セグメント６７の凹部６２の横（隣）に位置し、かつ第１の輪郭部２１の基準セグメント４７の凹部４１は、第２の輪郭部２２の基準セグメント６７の凸部５２の横（隣）に位置している。
【００３７】
第１の輪郭部２１及び第２の輪郭部２２の基準セグメント４７、６７を含む接触面２０の分割されたセグメントの領域において、輪郭部２１、２２の長手方向において凸部と凹部が交互配置されており、また輪郭部２１、２２と長手方向と垂直な方向において凸部と凹部の交互に配置されていることが観察される。この分割されたセグメントにおいて、アウトソール２は、均整な地面に規則的かつ自由に足運び、この地面を十分に把持し、かつ不均整な地面にも同様に、可逆的に把持又は引っ掛かる。この分割されたセグメントの領域において、少なくとも本発明による靴は、万能である。
【００３８】
記載した第１の実施形態によれば、限定するものではないが、接触面２０は、第３の輪郭部２３を有する。輪郭部２３は、例えば、前端部４と後端部３との間で交互に続く、凸部７１、７２、７３、７４、７５、７６及び凹部８１、８２、８３、８４、８５の交互配置を含む。第３の輪郭部２３は、凸部７２と凹部８１とを有する基準セグメント８７を含む。当然ながら、基準セグメント８７の凸部７２及び凹部８１は、輪郭部２３に沿って、互いに隣接している。ここでもこのセグメント８７は、図面上でよく見えるので、考慮された。
【００３９】
本発明の趣旨において、第３の輪郭部２３は、第２の輪郭部２２に隣接し、第２の輪郭部２２の基準セグメント６７の凸部５２は、第３の輪郭部２３の基準セグメント８７の凹部８１の横(隣)にあり、かつ第２の輪郭部２２の基準セグメント６７の凹部６２は、第３の輪郭部２３の基準セグメント８７の凸部７２の横(隣)にある。
【００４０】
第２の輪郭部２２及び第３の輪郭部２３の基準セグメント６７、８７を含む接触面２０の分割されたセグメントの領域において、輪郭部２２、２３の長手方向において凸部及び凹部が交互に配置され、また輪郭部２２、２３の長手方向と垂直な横方向において凸部及び凹部の交互配置が観察される。ここでも、この分割されたセグメントにおいて、アウトソール２は、均整な地面に規則的かつ自由に足運び、この地面を十分に把持し、かつ不均整な地面にも同様に、可逆的に把持又は引っ掛かる。この分割されたセグメントの領域において、靴は、万能である。
【００４１】
第１の実施形態によれば、接触面２０は、ちょうど３つの輪郭部２１、２２、２３を含むが、輪郭部はそれより多くても、少なくてもよい。したがって、輪郭部２１、２２、２３は、接触面２０全体にわたり延在している。例えば、第１の輪郭部２１は外側に位置し、第２の輪郭部２２は中央に位置し、第３の輪郭部２３は内側に位置している。このことにより、接触面２０全体にわたって、地面の把持及び足運びの能力が発揮されるという意味で、それらの能力が最適にされる。
【００４２】
当然ながら、この最適化の意味において、第１の輪郭部２１は、幾つかのセグメント４７を含み、第２の輪郭部２２は、幾つかのセグメント６７を含み、第３の輪郭部２３は、幾つかのセグメント８７を含む。
【００４３】
非限定的な例として、第１の実施形態では、以下の構成が提案されている。第１の輪郭部２１が、５つの凹部４１、４２、４３、４４、４５を有し、第２の輪郭部２２が、６つの凹部６１、６２、６３、６４、６５、６６を有し、第３の輪郭部２３が、５つの凹部８１、８２、８３、８４、８５を有する。必然の結果として、第１の輪郭部２１が、６つの凸部３１、３２、３３、３４、３５、３６を有し、第２の輪郭部２２が、７つの凸部５１、５２、５３、５４、５５、５６、５７を有し、第３の輪郭部２３が、６つの凸部７１、７２、７３、７４、７５、７６を有する。凸部及び凹部が、各輪郭部の長手方向に沿って交互に配置され、かつ各輪郭部の長手方向と垂直な横方向にも同様に交互に配置されていることがわかる。実際、凸部及び凹部は、接触面２０全体にわたっていわゆる市松模様で分布している。
【００４４】
第１の輪郭部２１、第２の輪郭部２２及び第３の輪郭部２３は、ソール２の長手方向Ｌでもある、靴１の長さに沿って配向されることが認められる。この配向は、前進方向での歩行又はランニングの際、足の自然な足運び中、ソール２に安定性を与える。
【００４５】
加えて、第１の輪郭部２１の凹部４１〜４５が、第３の輪郭部の凹部８１〜８５とそれぞれ横方向に、すなわちアウトソール２の横方向Ｗに沿って整列している。必然の結果として、第１の輪郭部２１の凸部３１〜３６は、第３の輪郭部２３の凸部７１〜７６とそれぞれほぼ横方向に整列する。その結果、特に地面が平坦である場合、地面に対する支承において高い横方向安定性が生じる。他方、起伏のある地面に対する良好な横方向の引っ掛かりも得られる。実際に、中央の輪郭部２２の各凹部は、それぞれ外側の輪郭部２１及び内側の輪郭部２３の外側凸部及び内側凸部の各々隣接している。したがって、中央の輪郭部２２の各凹部６１〜６６は、接触面２０の領域において単に凹んでいるソール２のキャビティである。それ故に、岩の突起のような地面の凹凸が、中央の輪郭部２２の凹部内に場所を占める場合、アウトソール２の横方向滑動が、あるときは外側凸部によって、また、あるときは内側凸部によって妨げられる。実際、各外側又は内側凸部は、横方向における止め具として機能する。このため、横方向に沿った時宜を得ない把持の喪失が、回避されないにせよ、少なくとも稀になるので、靴１は、山岳でのランニングの際に特に有効である。
【００４６】
寸法の点では、例えば、第１の輪郭部２１の幅が、アウトソール２の幅の５〜３０％であり、第２の輪郭部２２の幅が、アウトソール２の幅の２０〜８０％であり、第３の輪郭部２３の幅が、アウトソール２の幅の５〜３０％であるように構成される。その結果、中央の輪郭部２２が、通常、外側の輪郭部２１及び内側の輪郭部２３よりも幅広く選択されることになる。そこから生じる利点は、起伏のある土地での横方向引っ掛かりが最適化されることである。
【００４７】
第１の実施形態においては、長手方向の領域において、第１の輪郭部２１、第２の輪郭部２２及び第３の輪郭部２３の各々の長さは、アウトソール２の長さの８５〜１００％である。こうすると、常に前述の把持及び足運び特性を最適化する方向に進む。それでも、第１の輪郭部２１、第２の輪郭部２２及び第３の輪郭部２３の各々の長さが、アウトソール２の長さの２０〜１００％であるとき、満足できる結果が観察された。
【００４８】
限定するものではないが、第１の輪郭部２１及び第３の輪郭部２３は、それぞれ後端部３の領域及び前端部４の領域において、後部ブリッジ９３及び前部ブリッジ９４によって互いに延長されるようになっている。それは結局、外側の輪郭部２１及び内側の輪郭部２３が、後端部３の領域及び／又は前端部４の領域で、互いに伸張されるということである。最後に、外側の輪郭部２１、後部ブリッジ９３、内側の輪郭部２３及び前部ブリッジ９４は、接触面２０の周縁ベルトを形成する。このベルトは、アウトソール２の足運びを更に規則的にするのに寄与する。当然ながら、後端部３の領域において、又は前端部４の領域において、単一のブリッジ９３、９４を設けることや、またはいかなるブリッジも設けないことも可能である。
【００４９】
第１の輪郭部２１の幅が一定であり、第３の輪郭部２３の幅が一定であり、第２の輪郭部２２の幅が可変であることが認められる。実際に、第２の輪郭部２２すなわち中央の輪郭部は、全体として後部７よりも前部８が広い。これにより、横方向の引っ掛かりが前方に向かって増加する。そこから生じる利点は、特に地面が起伏のある場合に、足の中足領域において強く支承される際のソール２の安定性が高いことである。ここでも、この靴は、山岳でのランニングにおいて非常に高性能である。
【００５０】
やはり性能に配慮して、アウトソール２が、軽量で、かつ地面との接触による摩耗に対する耐性を有するようになされている。実際にアウトソール２は、地面に接触するための磨滅層９５と、磨滅層９５を靴１の残りの部分に連結する連結層９６とを備える。磨滅層９５が、接触面２０を画定することは、自明である。磨滅層９５は、例えばゴム、又は同等のあらゆる材料から構成される。連結層９６については、第１の実施形態によれば、限定するものではないが、これは緩衝層である。したがって、この層９６は、頭文字ＥＶＡによって表されるエチレン−酢酸ビニル・フォームのような、低密度の剛性材料、又はあらゆる同等物を含む。
【００５１】
層９５、９６の各々は、アウトソール２の全体に沿って延在する。これは、把持能力を接触面２０全体に対する緩衝能力と同時に与える。
【００５２】
当然ながら、ソール２は、２以上の層及び／又は追加の要素を含むことができる。
【００５３】
図１〜７全体から理解されるように、第１の実施形態によれば、アウトソール２は、厚さｔが通常は一定である磨滅層９５を含む。これにより、製造が容易になり、かつソール２を最大限に軽くすることが可能になる。
【００５４】
通常は一定であるという表現は、磨滅層９５が、湿った地面に対する把持を改善するために加えられた小さい突起にもかかわらず、一定の厚さを有することを意味する。実際に、凸部３１〜３６、５１〜５７、７１〜７６は、大部分が、全て参照符号９７で表した凹凸を有する。例えばＶ字形のこれらの凹凸は、厚さ０．５〜７ｍｍの小さな突起であり、１〜３ｍｍの値で良好な結果が得られたことを承知されたい。
【００５５】
これらの凹凸（突起）９７は、特に均整な表面の地面と協働するためのものであるので、それを凹部に設けることは、必要でない。換言すると、これら凹部４１〜４５、６１〜６６、８１〜８５は、大部分が均整な、更には平滑な表面を有する。これは、凹部が起伏のある土地の突起と協働するのに適する限りにおいて、理にかなっている。
【００５６】
なお別法として、凸部３１〜３６、５１〜５７、７１〜７６は、大部分が、均整な、すなわち凹凸９７のない表面を有するようにしてもよいことが観察される。この場合、靴１は、乾燥した地面に対して、それが均整であるにせよ、起伏があるにせよ、非常に高性能である。
【００５７】
第１の実施形態によれば、凹凸（突起）９７とは無関係に、アウトソール２は、厚さｔが０．５〜５ｍｍである磨滅層９５を備えることが観察され、１〜３ｍｍの値で良好な結果が得られたことを承知されたい。
【００５８】
図４〜７から更に明確に理解されるように、接触面２０の横(幅)方向における分割されたセグメントに沿う、凸部３２、５２、５３、７２の頂部は、ほぼ同一平面内にある。更に、一般的には、全ての凸部のそれぞれの頂部は、接触面２０の足運び時に地面の均整な表面に接して、印圧するようにされている。したがってこのことにより、当然ながらアウトソール２及び足の規則的な足運びが可能になる。
【００５９】
特に図４及び５に関して、横方向に、すなわち外側縁５から内側縁６へと緩衝層９６が連続していることが観察される。磨滅層９５については、これは区分されている。より詳細には、各輪郭部２１、２２、２３は、磨滅層９５が一体的ではなく個別に設けられており、分割されたセグメントに対応する。このことにより、磨滅層９５が、当初は平地に適合した場合でも、突起状の接触面２０を得ることが可能になる。しかしながら、後ほどよく判るように、磨滅層９５全体を一体部品として成形することも可能である。
【００６０】
図１〜７全体から、特に図６及び７から理解されるように、大部分の凹部は、湾曲した曲面形状を有する。例えば、第１の輪郭部２１の第１凹部４１は、凹面の底部１００と、凸面の壁１０１、１０２とを有し、凸面の壁は、底部１００を同じ輪郭部の凸部３１、３２に連結する。これにより、ソール２の製造が容易になりし、かつ起伏のある土地に対する支承と、平坦又は均整な土地に対する支承との間の良好な推移も可能になる。
【００６１】
他の実施形態を、図８〜１２により以下に示す。便宜上、第１の実施形態と共通の要素は、同じ参照符号によって示す。本質的に相違点のみが明確に示されている。
【００６２】
まず、第２の実施形態について、図８及び９により述べる。実際に、図４及び５と同様に、２つの横断面図が示されている。ここでは、アウトソール２の磨滅層１０５が、外側縁５から内側縁６まで連続することが判る。それは結局、磨滅層１０５全体が一体部品であるということである。
【００６３】
第３の実施形態は、図１０に示されている。図１と同様に、靴１のアウトソール２は、第１の輪郭部２１と、第２の輪郭部２２と、第３の輪郭部２３とを有する。この実施形態に特有なことは、１つ又は複数の凹部６２〜６６が区分又は分割されていることである。例えば、本質的に第２の輪郭部２２の凹部６２〜６６が、第２の輪郭部２２の第２凹部６２について１１１、１１２と参照符号を付されているような、薄い壁によって分割されている。これらの壁１１１、１１２は、例えば足の運びに関連した、ソール２の変形後に弾性復元を及ぼすための、弾性要素であってよい。この配置により、足の運びに関連したエネルギーを蓄積し、足運びの終了時にエネルギーを復元することが可能になる。靴の、したがって足の再運びが、改善される。
【００６４】
次に、第４の実施形態は、ここで図１１及び１２に示されている。それが、やはり第１の輪郭部２１と、第２の輪郭部２２と、第３の輪郭部２３とを有し、接触面２０は更に、第４の輪郭部２４も有し、第４の輪郭部は、凸部１２１〜１２４及び凹部１３１〜１３３の交互配置を有し、接触面２０は、更に第５の輪郭部２５を有し、第５の輪郭部は、凸部１４１〜１４５及び凹部１５１〜１５４の交互配置を有し、所与の輪郭部の凸部及び凹部は、隣接する輪郭部の凸部及び凹部に対して交互に配置される。輪郭部２１〜２５が、互いに隣接することが認められる。
【００６５】
第１の輪郭部２１、第２の輪郭部２２、第３の輪郭部２３、第４の輪郭部２４及び第５の輪郭部２５が、靴の長手方向に沿って配向されていることが観察される。ここで、第１の輪郭部は外側に位置し、第２の輪郭部２２、第３の輪郭部２３、及び第４の輪郭部２４は中央に位置し、第５の輪郭部２５は内側に位置している。限定するものではないが、第１の輪郭部２１は４つの凹部１６１〜１６４を有し、第２の輪郭部２２は３つの凹部１７１〜１７３を有し、第３の輪郭部２３は４つの凹部１８１〜１８４を有し、第４の輪郭部２４は３つの凹部１３１〜１３３を有し、第５の輪郭部２５は４つの凹部１５１〜１５４を有する。最後に、第４の実施形態による靴１は、他の実施形態と同じ技術思想を採用している。この意味で、靴は、先に説明したように非常に万能であるが、輪郭部当たりの凹部の数が少ないので、靴１は、起伏のある部分よりも均整な部分を幾分か多く含む混合コースに適している。
【００６６】
あらゆる場合において、本発明は、当業者に公知の材料から、当業者に公知の実施技術によって実施される。
【００６７】
当然ながら、本発明は、以上に記載した実施形態に限定されず、添付の特許請求の範囲に含まれ得るあらゆる同等物を含む。
【００６８】
具体的には、輪郭部の数を変えることができる。輪郭部の広がりに応じて、様々な凹部が、異なる寸法を有し得る。同様に、様々な凸部も、異なる寸法を有し得る。
【００６９】
凹部については、それら、又はその幾つかが、磨滅層を全部又は一部のみ持たなくてもよい。
【図１】
2012020136.tif 000003
【図２】
2012020136.tif 000004
【図３】
2012020136.tif 000005
【図４】
2012020136.tif 000006
【図５】
2012020136.tif 000007
【図６】
2012020136.tif 000008
【図７】
2012020136.tif 000009
【図８】
2012020136.tif 000010
【図９】
2012020136.tif 000011
【図１０】
2012020136.tif 000012
【図１１】
2012020136.tif 000013
【図１２】
2012020136.tif 000014